(57)【要約】【課題】ＴＦＣＩやＢＴＦＤによるＴＦの検出ができなかったＴｒＣＨについては、復号処理を行なわないと、そのＴｒＣＨにデータが存在するのか、Ｅｍｐｔｙなのかを判別することができなかった。【解決手段】データが存在するのかＥｍｐｔｙなのかを判別しようとするＴｒＣＨの各ビットデータのパワーのばらつきを計算する。このばらつきを閾値と比較することにより、復号処理を行なうこと無く、そのＴｒＣＨにデータが存在するのか、Ｅｍｐｔｙなのかを判別することができる。【選択図】図７
2008160260.tif 000002
【特許請求の範囲】
【請求項１】
伝送チャネルを受信し、
前記伝送チャネルに含まれる各ビットデータのパワーのばらつきを計算し、
前記ばらつきが閾値よりも大きい場合には前記伝送チャネルの復号を行わず、前記ばらつきが前記閾値よりも小さい場合には前記伝送チャネルの復号を行うこと、
を有することを特徴とする復号方法。
【請求項２】
受信電波状況の良否を判定し、
前記受信電波状況が良好であると判定された場合に、前記ばらつきと前記閾値との比較を行って前記伝送チャネルの復号を行なうか否かを判定すること、
を特徴とする請求項１に記載の復号方法。
【請求項３】
前記受信電波状況の良否判定の結果、前記受信電波状況が不良であると判定された場合には、ＣＲＣを用いて前記伝送チャネルの復号を行なうこと、
を特徴とする請求項２に記載の復号方法。
【請求項４】
前記ばらつきとして、分散を計算することを特徴とする請求項１から請求項３のいずれか一に記載の復号方法。
【請求項５】
前記ばらつきとして、標準偏差を計算することを特徴とする請求項１から３のいずれか一に記載の復号方法。
【請求項６】
前記ビットデータの前記パワーの正規化を行い、正規化されたパワーにより前記ばらつきが計算されること、
を特徴とする請求項１から請求項４のいずれか一に記載の復号方法。
【発明の詳細な説明】
【技術分野】
【０００１】
本発明は、無線通信の受信に用いられる復号の方法、および、無線受信機で用いられる復号装置に関する。
【背景技術】
【０００２】
近年、携帯電話等の移動体通信システムに用いられる通信方式についての研究が盛んに行われている。３ＧＰＰ(３ｒｄ Ｇｅｎｅｒａｔｉｏｎ Ｐｅｒｔｎｅｒｓｈｉｐ Ｐｒｏｊｅｃｔ）では、第３世代の移動体通信システムの標準化が行われており、３ＧＰＰで標準化されている通信方式としてW−CDMA（Ｗｉｄｅｂａｎｄ Ｃｏｄｅ Ｄｉｖｉｓｉｏｎ Ｍｕｌｔｉｐｌｅ Ａｃｃｅｓｓ）方式が知られている。Ｗ−ＣＤＭA方式を用いた受信方法および装置が、例えば特許文献１に開示されている。
【０００３】
Ｗ−ＣＤＭＡ方式の移動体通信システムで送受信されるデータ形式については、例えば、非特許文献１に記載されている。Ｗ−ＣＤＭＡ方式では、無線伝送路上に複数の物理チャネルが多重化され、さらに、各物理チャネル上には、複数の伝送チャネル（Ｔｒａｎｓｐｏｒｔ Ｃｈａｎｎｅｌ：ＴｒＣＨ）が多重化される。このＴｒＣＨによって、音声や画像等の情報をそれぞれ異なるチャネルで同時に通信でき、さらに、それぞれのチャネルをサービスに適した伝送品質で通信することが可能である。
【０００４】
Ｗ−ＣＤＭＡ方式において、物理チャネル上では、複数のＴｒＣＨが多重化された符号化コンポジット伝送チャネル（Ｃｏｄｅｄ Ｃｏｍｐｏｓｉｔｅ ＴｒＣＨ：ＣＣＴｒＣＨ）が伝送される。例えば、図１のようにＣＣＴｒＣＨには４つのＴｒＣＨ、つまりＴｒＣＨ＃０、ＴｒＣＨ＃１、ＴｒＣＨ＃２、ＴｒＣＨ＃３が多重され伝送される。
【０００５】
各ＴｒＣＨは、所定のデータ長のデータから構成されている。データ長は伝送フォーマット（Ｔｒａｎｓｐｏｒｔ Ｆｏｒｍａｔ：ＴＦ）と呼ばれる。伝送フォーマットの集合は伝送フォーマットセット（Ｔｒａｓｐｏｒｔ Ｆｏｒｍａｔ Ｓｅｔ：ＴＦＳ）と呼ばれ、各ＴｒＣＨはそれぞれＴＦＳを持つ。つまり、１つのＴｒＣＨが複数のＴＦを持つことで、可変レートに対応するのである。
【０００６】
例えば、図２のようにＴｒＣＨ＃０のＴＦＳは３個のＴＦ（ＴＦ＃０〜＃２）、ＴｒＣＨ＃１のＴＦＳは２個のＴＦ（ＴＦ＃０、＃１）、ＴｒＣＨ＃２のＴＦＳは２個のＴＦ（ＴＦ＃０、＃１）、ＴｒＣＨ＃３のＴＦＳは２個のＴＦ（ＴＦ＃０、＃１）が定義されている。図２の例では、ＴｒＣＨ＃０のＴＦ＃０は「データ長＝０ビット」、ＴｒＣＨ＃０のＴＦ＃１は「データ長＝３９ビット」、ＴｒＣＨ＃０のＴＦ＃２は「データ長＝８１ビット」と定義される。
【０００７】
尚、図２において、“０ｘ”は、そのＴｒＣＨでは意味のあるデータが送信されてないことを示している。このように、あるＴｒＣH内に意味のあるデータが送られていないことを、以降、“Ｅｍｐｔｙ”と呼ぶ。
【０００８】
また、図２の“ＣＲＣ，ｂｉｔ”の欄は、それぞれのＴｒＣＨが何ビットのＣＲＣビットを含むかを示している。
【０００９】
ＣＣＴｒＣＨのフォーマットは伝送フォーマットの組み合わせ（Ｔｒａｎｓｐｏｒｔ Ｆｏｒｍａｔ Ｃｏｍｂｉｎａｔｉｏｎ：ＴＦＣ）で定義される。すなわち、ＴＦＣには、各ＴｒＣＨのＴＦの組み合わせが定義される。例えば、図３のようにＴＦＣ＃２（ＴｒＣＨ＃０、ＴｒＣＨ＃１、ＴｒＣＨ＃２、ＴｒＣＨ＃３）＝（ＴＦ＃２、ＴＦ＃１、ＴＦ＃１、ＴＦ＃０）が定義された場合、ＴＦＣ＃０は、ＴｒＣＨ＃０のＴＦ＃２と、ＴｒＣＨ＃１のＴＦ＃１と、ＴｒＣＨ＃２のＴＦ＃１と、ＴｒＣＨ＃３のＴＦ＃０の伝送フォーマットの組み合わせでＣＣＴｒＣＨが構成され、物理チャネルにマッピングされていることを表現している。ＣＣＴｒＣＨ上で適用されるＴＦＣの集合は、ＴＦＣＳ（Ｔｒａｎｓｐｏｒｔ Ｆｏｒｍａｔ Ｃｏｍｂｉｎａｔｉｏｎ Ｓｅｔ）と呼ばれる。
【００１０】
尚、“ＴＦＣ ｓｉｚｅ”の欄の値は、ＴＦＣＳがいくつのＴＦＣを含むのかを示している。
【００１１】
物理チャネルは、伝送されるＣＣＴｒＣＨ毎に、ＴＦＣＳの中の任意のＴＦＣで表現できる（図３の例では、ＴＦＣ＃０〜＃５）ため、受信側はどのＴＦＣで通信が行われているか検出することを必要とする。復号処理では、各ＴｒＣＨの適切なＴＦ（データ長）が用いられなければ、正しい復号結果が得られないからである。
【００１２】
非特許文献１には、いくつかのＴＦＣの検出方法が記載されている。ＴＦＣの検出方法の１つに伝送フォーマット組み合わせ識別子（Ｔｒａｎｓｐｏｒｔ Ｆｏｒｍａｔ Ｃｏｍｂｉｎａｔｉｏｎ Ｉｎｄｉｃａｔｏｒ：ＴＦＣＩ）を用いる方法がある。
【００１３】
ＴＦＣＩは、ＣＣＴｒＣＨのＴＦＣを識別するための情報である。ＴＦＣＩを用いＴＦＣを識別する方法では、物理チャネル上にＣＣＴｒＣＨと共に、ＴＦＣＩが伝送される。受信側は、ＣＣＴｒＣＨを復号する前にＴＦＣＩデータを復号することでＣＣＴｒＣＨのＴＦＣを検出する。この検出ＴＦＣに基づき、ＣＣＴｒＣＨの各ＴｒＣＨを復号し正しい復号データを得ることが可能である。
【００１４】
一方、ＴＦＣＩを用いずにＴＦＣを検出する方法として、ＢＴＦＤ（Ｂｌｉｎｄ  Ｔｒａｎｓｐｏｒｔ Ｆｏｒｍａｔ Ｄｅｔｅｃｔｉｏｎ）がある。
【００１５】
ＢＴＦＤでは、まず、先頭のＴｒＣＨ＃０の先頭ビットからＴｒＣＨ＃０のＴＦとして取りうるデータ長分、順次復号しＣＲＣチェックを行なう。図２のＴＦＳの例では、３９ビットまで復号した時点と、８１ビットまで復号した時点で、それぞれ、ＣＲＣチェックを行なう。
【００１６】
そして、ＣＲＣチェックにパスしたデータ長により、ＴｒＣＨ＃０のＴＦを決定する。例えば、３９ビットまで復号した段階でＣＲＣチェックにパスしたとすれば、ＴｒＣＨ＃０のＴＦはＴＦ１であると判定することができる。
【００１７】
さらに、ＴｒＣＨ＃０のＴＦが決まればＴｒＣＨ＃１とＴｒＣＨ＃２のＴＦが一意に決まるように、ＴＦＣが定められている。図３の例では、ＴｒＣＨ＃０のＴＦがＴＦ０かＴＦ１の場合にはＴｒＣＨ＃１と＃２のＴＦは共にＴＦ０であり、ＴｒＣＨ＃０のＴＦがＴＦ２の場合にはＴｒＣＨ＃１と＃２のＴＦは共にＴＦ１になるように、ＴＦＣが定められている。
【００１８】
従って、ＴｒＣＨ＃０のＴＦがＴＦ０およびＴＦ１の場合には、ＴｒＣＨ＃１と＃２にはデータが存在せず、ＴｒＣＨ＃１とＴｒＣＨ＃２の復号が不要であることを予め把握することが出来る。よって、不要な復号を行なわないことにより、消費電力を低減することが可能となる。
【００１９】
しかし、ＣＣＴｒＣＨの中には、ＴｒＣＨ＃０のＴＦとは無関係にそのＴＦが選ばれているＴｒＣＨも存在する。図３の例で具体的に説明すると、ＴＦＣ＃０とＴＦＣ＃３において、ＴｒＣＨ＃０のＴＦは共にＴＦ１（データ長＝３９ビット）であるが、ＴｒＣＨ＃３のＴＦは、ＴＦＣ＃０ではＴＦ０であり、ＴＦＣ＃３ではＴＦ１である。すなわち、ＴｒＣＨ＃３のＴＦが、ＴｒＣＨ＃０のＴＦとは無関係に選択されている。
【００２０】
【特許文献１】特開２００４−３５６８３７号公報
【非特許文献１】３ＧＰＰ（Ｇｅｎｅｒａｔｉｏｎ  Ｐａｒｔｎｅｒｓｈｉｐ  Ｐｒｏｊｅｃｔ）  ＴＳ（Ｔｅｃｈｎｉｃａｌ  Ｓｐｅｃｉｆｉｃａｔｉｏｎ）  ２５．２１２
【発明の開示】
【発明が解決しようとする課題】
【００２１】
ＴＦＣＩを用いずに通信している場合に（もしくは、ＴＦＣＩを正しく受信できなかった場合に）、ＢＴＦＤでＴＦＣを検出しよとするとき、先頭のＴｒＣＨのＴＦが判明したとしても、先頭のＴｒＣＨのＴＦに無関係にＴＦが選ばれるＴｒＣＨ（図の例ではＴｒＣＨ＃３）のＴＦを判別することができない。ＴＦを判別することができないＴｒＣＨにデータがあるか否かを復号前に判定することはできない。そのため、ＴｒＣＨがＥｍｐｔｙであるか否かを復号前に知ることができず、ＥｍｐｔｙのＴｒＣＨに対して、無駄な復号処理を行なうことが必要となる。例えば図３の例では、ＴｒＣＨ＃０のＴＦがＴＦ０かＴＦ１と分かっていても、データが存在しないＴＦＣ＃０のＴｒＣＨ＃３の復号を行なう必要がある。
【課題を解決するための手段】
【００２２】
本発明は、受信した信号の復号を行なう前に、ＴｒＣＨ内の各ビットデータのパワーのばらつきを計算し、ばらつきが閾値よりも大きい場合は、当該ＴｒＣＨにはデータが存在しない、すなわちＥｍｐｔｙなＴｒＣＨであると判定して復号を行なわず、ばらつきが閾値よりも小さい場合には、当該ＴｒＣＨがデータを含むと判定して復号を行なう。ばらつきとしては、例えば、分散や標準偏差を用いることができる。
【００２３】
本発明によれば、復号を行なう前に、ＴｒＣＨがＥｍｐｔｙなのか、データを含むのかを判定することができる。
【発明の効果】
【００２４】
本発明を用いることにより、復号を行なう前に、ＴｒＣＨがＥｍｐｔｙなのか、データを含むのかを判定することができるため、ＥｍｐｔｙであるＴｒＣＨに対する不要な復号処理を行なわずにすむので、消費電力の低減を図ることができる。
【発明を実施するための最良の形態】
【００２５】
図４は、無線伝送システムを示す図であり、基地局ＢＳと携帯電話などの移動端末ＭＳとの間で無線通信が行なわれている。この実施の形態では、基地局ＢＳがＴＦＣＩを送信しておらず、移動端末ＭＳはＢＴＦＤでＴＦＣを検出する。
【００２６】
基地局ＢＳは、図２および図３で定義されるＴＦＳおよびＴＦＣＳで構成されるＣＣＴｒＣＨ１を移動端末ＭＳに送信する。移動端末ＭＳは、アンテナＡＮＴおよびＲＦ回路１０を介してデータを受信し、受信したデータを受信データメモリ２０に記憶する。移動端末ＭＳは、さらに、受信データ信頼度判定回路３０、受信電波状況判定回路４０、ビタビ復号等により受信データの復号を行なう復号装置５０、判明したＴＦを記憶する復号データ長メモリ６０、復号回路５０で復号されたデータを格納する復号データメモリ７０を有する。
【００２７】
受信データ信頼度判定回路３０は、受信データメモリ２０に記憶された各ビットデータのパワーのばらつきの計算、およびそのばらつきと閾値との比較を行なう。詳しくは後述する。
【００２８】
受信電波状況判定回路４０は、受信電波状況の判定を行なう。詳しくは後述する。
【００２９】
ＣＣＴｒＣＨ１を受信した移動端末ＭＳの動作を説明する。移動端末ＭＳは、ＣＣＴｒＣＨ１を受信することにより、１つ若しくは複数のＴｒＣＨを受信するが、本実施の形態では、ＴＦＣＩを使用していないので、始めに、ＴＦＣの検出を行なわなければならない。本実施の形態では、移動端末ＭＳはＢＴＦＤによりＴＦＣを検出する。
【００３０】
移動端末ＭＳは、ＴｒＣＨ＃０のＴＦが、０ビット、３９ビット、８１ビットのいずれかであることが予めわかっているので、まず、０ビット目までの復号を行う。０ビット目までの復号とは、すなわち、ＣＲＣビットだけの復号である。
０ビット目までの復号データでＣＲＣチェックし、このチェックにパスした場合は、ＴｒＣＨ＃０のＴＦが０ビット（図２のＴＦ０）であることがわかる。従って、ＣＣＴｒＣＨ１のＴＦＣがＴＦＣ＃０もしくはＴＦＣ＃３であることが分かる。
【００３１】
一方、０ビット目までの復号データでＣＲＣチェックした結果、パスしなかった場合は、移動端末ＭＳは３９ビット目までの復号を行い、ＣＲＣチェックを行なう。
【００３２】
３９ビット目までの復号データでＣＲＣチェックをパスした場合は、ＴｒＣＨ＃０のＴＦが３９ビット（図２のＴＦ１）であることが分かるので、ＣＣＴｒＣＨ１のＴＦＣはＴＦＣ＃１若しくはＴＦＣ＃４であることが分かる。
【００３３】
一方、３９ビットまでの復号データでＣＲＣチェックした結果、パスしなかった場合は、移動端末ＭＳは、８１ビット目まで復号を行い、８１ビット目までの復号データで、再度、ＣＲＣチェックを行なう。その結果、ＣＲＣチェックにパスした場合は、ＴｒＣＨ＃０のＴＦが８１ビットであることが分かるので、ＣＣＴｒＣＨ１のＴＦＣがＴＦＣ＃２もしくはＴＦＣ＃５であることが分かる。
【００３４】
０ビット、３９ビット、８１ビットのすべてのＴＦで、ＣＲＣチェックにパスしなかった場合には、受信電波が非常に悪く、そもそも復号できないデータを受信したと判定できる。
【００３５】
ここでは、３９ビット目までの復号データでＣＲＣチェックをパスした場合を考える。この段階で、移動端末ＭＳは、ＣＣＴｒＣＨ１のＴＦＣがＴＦＣ＃１もしくはＴＦＣ＃４であることを知ることができる。
【００３６】
よって、ＴｒＣＨ＃１とＴｒＣＨ＃２のＴＦは、共に、ＴＦ０であることが分かるので、ＴｒＣＨ＃１とＴｒＣＨ＃２はＥｍｐｔｙであり、復号が不要であることが分かる。
【００３７】
ＴｒＣＨ＃０のＴＦがＴＦ０（３９ビット）であること、ＴｒＣＨ＃１のＴＦがＴＦ０（１０３ビット）であること、及び、ＴｒＣＨ＃１のＴＦがＴＦ０（８０ビット）であることは、復号データ長メモリ６０に記憶される。
【００３８】
以降、移動端末ＭＳは、復号データ長メモリ６０に記憶された、各ＴｒＣＨのＴＦに基づいて、後続のＣＣＴｒＣＨに対する復号処理を行なう。
【００３９】
しかし、ＣＣＴｒＣＨ１のＴＦＣがＴＦＣ＃１もしくはＴＦＣ＃４であることが分かったとしても、ＴｒＣＨ＃３のＴＦがＴＦ０かＴＦ１かを知ることができない。図３に示すように、ＴＦＣ＃１の場合はＴｒＣＧＨ＃３のＴＦはＴＦ０であり、ＴＦＣ＃４の場合は、ＴｒＣＨ＃３のＴＦはＴＦ１であるからである。移動端末ＭＳは、ＴｒＣＨ＃３のＴＦとして取りうるビット長ずつ復号、および、ＣＲＣチェックを行なうことにより、ＴｒＣＨ＃３のＴＦを検出することができるが、ＴｒＣＨ＃３がＥｍｐｔｙである場合には、復号処理が無駄となってしまう。
【００４０】
そこで、移動端末ＭＳは、ＴｒＣＨ＃３の各ビットデータのパワーのばらつきを計算する。そして、このパワーのばらつきが閾値よりも大きい場合には、ＴｒＣＨ＃３がＥｍｐｔｙであると判定し、復号処理を行なわない。一方、ばらつきが閾値よりも小さい場合には、ＴｒＣＨ＃３がデータを含むと判定し、復号処理を行なう。
【００４１】
各ビットデータのパワーのばらつきの計算、および、ばらつきと閾値との比較について、さらに詳細に以下に説明する。
【００４２】
図５は、ＣＣＴｒＣＨ１中の各ビットデータのパワーの値が受信データメモリ２０に記憶されている様子を模式的に示した図である。各ビットデータのパワーは、仮数部ｍａと指数部ｅｘに分けて記憶されている。図５（ａ）の例では、ＴｒＣＨ＃３の先頭のビットデータのパワーの値は、１０１×１／２＾３として記憶されている。
【００４３】
受信データメモリ２０は、パワーの値を、ｍＷ（ミリワット）単位で記憶しても良いし、ｄＢｍ（デービーエム）単位で記憶してもよい。
【００４４】
また、各ビットデータのパワーの値は、正負の符号付きで記憶されている。正負は、受信ビットの論理を表しており、例えば、受信ビットが“１”であれば正、受信ビットが“０”であれば負の値となる。一方、ＴｒＣＨがＥｍｐｔｙの場合は、移動端末ＭＳは“１”でも“０”でもない状態を検出することとなり、理想的には、各ビットのパワーの値は０に近い値となる。しかし、現実には、ノイズが検出されるため、Ｅｍｐｔｙのビットであっても完全に０になることは少ない。
【００４５】
ばらつきの計算を行なう前に、受信データメモリ２０に記憶された各ビットデータのパワーの値を正規化する（図５（ｂ））。本実施の形態においては、最小の指数の値を、全ての指数から減算することにより、正規化を行なう。図５の（ａ）から（ｂ）へ正規化する例では、指数“１”が最小であるので、全ての指数から１を減算することにより、正規されたパワーを計算している。正規化の処理は必須ではないが、正規化処理を行なうと、ＴｒＣＨがデータを含むか、Ｅｍｐｔｙなのかの判定の精度が向上する。
【００４６】
次いで、正規化されたパワーの値のばらつきを計算する。ばらつきを示す値としては、分散や標準偏差を用いることができる。あるＴｒＣＨ内の各ビットデータのパワーのばらつきを計算する際に、そのＴｒＣＨ内の全てのビットデータのパワーの値を用いても良いし、一部の値を用いてもよい。
【００４７】
例えば、ＴｒＣＨのデータ長が分かっているが、データが存在するのかＥｍｐｔｙなのかが分かっていない場合には、そのデータ長分のビットデータのパワーのばらつきを計算することができる。
【００４８】
一方、ＴｒＣＨのデータ長が分かっていない場合は、ＴｒＣＨの先頭から予め定められたデータ長分のビットデータのパワーのばらつきを計算する。ここで、“予め定められたデータ長”は、計算されたばらつきの値が、統計的に意味がある程度に長くすればよい。
【００４９】
尚、上述のように、各ビットデータのパワーは、受信データメモリ２０に正負の符号付きで記憶されているが、ばらつきを計算する際は、パワーの絶対値やパワーを偶数ベキした値を用いることにより、正負の符号がばらつきの値に影響しないようにする。また、図５（ｂ）では、ＴｒＣＨ＃０から＃２の値を省略しているが、ＴｒＣＨ＃０から＃２の各ビットデータのパワーの正規化は、行なっても行なわなくてもよい。
【００５０】
図６は、ＴｒＣＨ内の各ビットデータのパワーを示したグラフである。縦軸は、正規化された各ビットデータのパワーの絶対値である。図６（ａ）は、ＴｒＣＨにデータが存在する場合のグラフであり、図６（ｂ）は、ＴｒＣＨがＥｍｐｔｙの場合のグラフである。図６（ａ）と（ｂ）とを比較すると分かるように、ＴｒＣＨにデータが存在する場合にはパワーの絶対値のばらつきが小さく、一方、ＴｒＣＨがＥｍｐｔｙの場合にはパワーの絶対値のばらつきが大きい。従って、計算されたパワーのばらつきを閾値と比較することによって、ＴｒＣＨがデータを含むのか、それともＥｍｐｔｙなのかを判定することができる。
【００５１】
図７のフローチャートを用いて、本発明のその他の実施の形態について説明する。
【００５２】
この実施の形態では、ＴＦが分かっていないＴｒＣＨの復号処理をどのように行なうのかの判定（復号処理判定）を、上述のパワーのばらつきによる判定だけでなく、受信電波状況の良否判定も用いて行なう。
【００５３】
ステップＳＳにおいて復号処理判定を開始し、ステップＳ１０において、受信電波状況判定回路４０を用いて、受信電波状況が良好か否かの判定を行なう。受信電波状況の良否は、例えば、ＲＳＣＰ（Ｒｅｃｅｉｖｅｄ Ｓｉｇｎａｌ ＣｏｄｅＰｏｗｅｒ：１コードあたりの平均受信電力）、ＩＳＣＰ（Ｉｎｔｅｒｆｅｒｅｎｃｅ Ｓｉｇｎａｌ Ｃｏｄｅ Ｐｏｗｅｒ：１コードあたりの干渉波電力）、ＲＳＣＰとＩＳＣＰの比（ＲＳＣＰ/ＩＳＣＰ）であるＳＩＲ（Ｓｉｇｎａｌ to Ｉｎｔｅｒｆｅｒｅｎｃｅ Ｒａｔｉｏ：希望波信号電力対干渉電力比）、ＲＳＳＩ（Ｒｅｃｅｉｖｅｄ Ｓｉｇｎａｌ Ｓｔｒｅｎｇｔｈ Ｉｎｄｉｃａｔｏｒ：受信信号強度表示信号）、ＣＰＩＣＨ（Ｃｏｍｍｏｎ Ｐｉｌｏｔ Ｃｈａｎｎｅｌ）のＥｃ/Ｎｏ（Ｔｈｅ ｒｅｃｅｉｖｅｄ ｅｎｅｒｇｙ ｐｅｒ ｃｈｉｐ ｄｉｖｉｄｅｄ ｂｙ ｔｈｅ ｐｏｗｅｒ ｄｅｎｓｉｔｙ：希望波１チップあたりのエネルギー対帯域内受信電力密度比）等のパラメータを用いて判定することができる。  
例えば、ＳＩＲが閾値以上の場合に受信電波状況が良好であると判定する。あるいは、ＣＰＩＣＨのＥｃ/Ｎｏが閾値以上の場合に受信電波状況が良好であると判定する。または、ＳＩＲが閾値以上であり、かつ、ＣＰＩＣＨのＥｃ/Ｎｏが閾値以上の場合に、受信電波状況が良好であると判定することもできる。このように、ＳＩＲとＣＰＩＣＨのＥｃ/Ｎｏとが共にそれぞれの閾値以上である場合に受信電波状況が良好であると判定すれば、ＤＣＨ通信状態における受信電波状況の判定の精度が向上する。
【００５４】
ステップＳ１０で受信電波状況が不良であると判定された場合は、ステップＳ１２に進み、ＣＲＣチェックを利用した復号処理を実施することを決定し、復号処理判定を終了する（ステップＳＦ）。受信電波状況が不良である場合には、後述のステップＳ１４における各ビットデータのパワーのばらつきを用いた判定を精度よく行なうことができないので、ＣＲＣチェックを利用した復号処理を行なうのである。
【００５５】
一方、ステップＳ１０で受信電波状況が良好であると判定された場合は、ステップＳ１２に進み、受信データ信頼度判定回路３０を用いて、各ビットデータのパワーのばらつきと閾値の比較による判定を行なう。
【００５６】
すなわち、パワーのばらつきが閾値よりも小さい場合には、ＴｒＣＨにデータが存在する（データの信頼度が高い）と判定してステップＳ１６に進み、当該ＴｒＣＨの復号処理、および、得られた復号データのＣＲＣチェックを実施することを決定し、復号処理判定を終了する（ステップＳＦ）。
【００５７】
一方、ステップＳ１４で、パワーのばらつきが閾値よりも大きい場合には、当該ＴｒＣＨがＥｍｐｔｙである（データの信頼度が低い）と判定してステップＳ１８に進み、当該ＴｒＣＨの復号処理を行なわないことを決定し、復号処理判定を終了する（ステップＳＦ）。パワーのばらつきと閾値とが等しい場合は、ステップＳ１６とステップＳ１８の何れに進むことにしても良い。
【図面の簡単な説明】
【００５８】
【図１】ＣＣＴｒＣＨの構成を説明するための図である。
【図２】ＴｒＣＨのＴＦＳを説明するための図である。
【図３】ＣＣＴｒＣＨのＴＦＣＳを説明するための図である。
【図４】本発明の実施の形態を説明するための図である。
【図５】本発明の実施の形態を説明するための図である。
【図６】本発明の実施の形態を説明するための図である。
【図７】本発明のその他の実施の形態を説明するための図である。
【符号の説明】
【００５９】
１            ＣＣＴｒＣＨ
１０            ＲＦ回路
２０            受信データメモリ
３０            受信データ信頼度判定回路
４０            受信電波状況判定回路
５０            復号装置
６０            復号データ長メモリ
７０            復号データメモリ
【図１】
2008160260.tif 000003
【図２】
2008160260.tif 000004
【図３】
2008160260.tif 000005
【図４】
2008160260.tif 000006
【図５】
2008160260.tif 000007
【図６】
2008160260.tif 000008
【図７】
2008160260.tif 000009